(57)【要約】【課題】昇降路に立設した案内レールが建物の免震装置配置箇所において、地震等により傾斜しても正常に昇降動作するエレベーターかごを得る。【解決手段】上枠４、下枠６及び側枠７によるかご枠８を主索９により吊持し、かご枠８の四隅に案内レール２に係合した案内具１０を設ける。また、かご室１２をかご枠８内に配置し下枠６に支持し、また側枠７の要部をなす筒体１４内に空隙を形成して張設条体１５貫通し上枠４及び下枠６を連結する。さらに、下枠６と筒体１４の下端面との間に摺動板１９を介装する。これにより、建物の免震装置の配置箇所で地震による案内レール２の傾斜時に、案内具１０の変位により摺動板１９を介して下枠６が筒体１４に対して変位するので、かご枠８に異常負荷が作用せず案内具１０の異常発生を防止する。【選択図】        図１
2004224468.tif 000002
【特許請求の範囲】
【請求項１】
エレベーターの案内レールが立設された昇降路に配置され、上枠、下枠及び両側の側枠がロ字状に配置されて上記上枠を介して上記エレベーターの主索によって吊持されたかご枠と、このかご枠のロ字における四隅にそれぞれ設けられて上記案内レールに昇降自在に係合した案内具と、箱状をなし上記かご枠内に配置されて下部が上記下枠に支持され、上部は上記側枠に係合具を介して係合されたかご室と、上記上枠及び下枠の両者の間に配置されて上記側枠の要部を構成した筒体と、この筒体内に空隙を形成して貫通して配置され両端がそれぞれ上記両者に連結されて張設された張設条体と、上記両者の一方及びこの一方に対向した上記筒体の端面との間に介装された低摩擦材製の摺動板とを備えたエレベーターかご。
【請求項２】
エレベーターの案内レールが立設された昇降路に配置され、上枠、下枠及び両側の側枠がロ字状に配置されて上記上枠を介して上記エレベーターの主索によって吊持されたかご枠と、このかご枠のロ字における四隅にそれぞれ設けられて上記案内レールに昇降自在に係合した案内具と、上記側枠の下端寄りに装着されて上記かご枠内の両側にそれぞれ設けられ上記下枠の上に配置された床取付金具と、箱状をなし上記かご枠内に配置されて下部が上記床取付金具に装着され、上部は上記側枠に係合具を介して係合されたかご室と、上記上枠及び下枠の両者の間に配置されて上記側枠の要部を構成した筒体と、この筒体内に空隙を形成して貫通して配置され両端がそれぞれ上記両者に連結されて張設された張設条体と、上記下枠及び床取付金具の間に介装された低摩擦材製の摺動板とを備えたエレベーターかご。
【発明の詳細な説明】
【０００１】
【発明の属する技術分野】
この発明は、昇降路に立設されて地震時、強風時に建物の免震装置配置箇所において傾斜する案内レールに案内されるエレベーターかごに関する。
【０００２】
【従来の技術】
従来のエレベーターかごにおいては、上枠、下枠及び両側の側枠がロ字状に組立てられてかご枠が構成され、エレベーターの主索によって上枠を介して吊持される。また、かご枠のロ字における四隅にそれぞれ案内具が設けられてエレベーターの昇降路に立設された案内レールに昇降自在に係合される。そして、箱状をなすかご室がかご枠内に配置されて、下部が下枠に固定された床取付金具に装着され、また上部は側枠に振止め具を介して係合される。
【０００３】
従来のエレベーターかごは上記のように構成されて昇降路に配置され、かごの案内具が昇降路内に立設された案内レールに移動自在に係合される。また、かごが主索によって吊持されて、主索が巻上機（図示しない）によって駆動されることによって昇降路内を昇降するように構成されている。（例えば、特許文献１参照）。
【０００４】
【特許文献１】
実開昭４８−８０２５５号公報（第１頁、第１図）
【０００５】
【発明が解決しようとする課題】
このように構成された従来のエレベーターかごを免震構造の建物に設置されるエレベーターに適用した場合に次に述べる事象が発生する。すなわち、建物において固定建築体の上に免震建築体が配置され固定建築体及び免震建築体の両者の間に免震装置が設けられる。そして、上記両者のそれぞれに設けられて互いに直列に配置された昇降路に案内レールが立設され、この案内レールにエレベーターのかごが案内具を介して案内されて昇降する。
【０００６】
前述の免震構造の建物では、地震時、強風時に免震装置の配置箇所において案内レールが弾性変形して傾斜する。しかし、かごの要部をなすかご枠の剛性が高いため、案内レールの傾斜箇所においてかご枠に余計な負荷が作用し、異常荷重のために案内具に変形等の異常が発生したり、かごの昇降動作が妨げられたりするという問題点があった。
【０００７】
この発明は、かかる問題点を解消するためになされたものであり、昇降路に立設された案内レールが建物の免震装置配置箇所において地震等により傾斜しても、案内レールに正常に案内されて昇降するエレベーターかごを得ることを目的とする。
【０００８】
【課題を解決するための手段】
この発明に係るエレベーターかごにおいては、エレベーターの案内レールが立設された昇降路に配置され、上枠、下枠及び両側の側枠がロ字状に配置されて上枠を介してエレベーターの主索によって吊持されたかご枠と、このかご枠のロ字における四隅にそれぞれ設けられて案内レールに昇降自在に係合した案内具と、箱状をなしかご枠内に配置されて下部が下枠に支持され、上部はかご枠の側枠に係合具を介して係合されたかご室と、上枠及び下枠の両者の間に配置されてかご枠における側枠の要部を構成した筒体と、この筒体内に空隙を形成して貫通して配置され両端がそれぞれ上記両者に連結されて張設された張設条体と、上記両者の一方及びこの一方に対向した筒体の端面との間に介装された低摩擦材製の摺動板とが設けられる。
【０００９】
【発明の実施の形態】
実施の形態１．
図１〜図３は、この発明の実施の形態の一例を示す図で、図１は一部を縦断して示す正面図、図２は図１において案内レールが傾斜した状態を示す図、図３は図２の側面図である。図において、昇降路１に案内レール２が水平方向に互いに離れて立設され、案内レール２の相互間にかご３が配置されて間口方向の両側が案内レール２と対向する。また、かご３は次ぎに述べるように構成される。
【００１０】
すなわち、上枠４、緩衝器（図示しない）に対応した衝突受け板５が設けられた下枠６及び両側の側枠７がロ字状に配置されてなるかご枠８が構成される。そして、上枠４に連結されてかご３を吊持したエレベーターの主索９が設けられ、またかご枠８のロ字における四隅、すなわち上枠４及び下枠６の長手両端にそれぞれ設けられて案内レール２に昇降自在に係合したローラガイドシューからなる案内具１０が配置される。
【００１１】
また、床取付金具１１が側枠７の下端寄りに装着されてかご枠８内の両側にそれぞれ設けられ下枠６の上に配置される。さらに、箱状をなすかご室１２がかご枠８内に配置されて下部が床取付金具１１に装着され、上部は側枠７に振止め具からなる係合具１３を介して係合される。
【００１２】
また、側枠７は次ぎに述べるように構成される。すなわち上枠４及び下枠６の両者の間に配置されて側枠７の要部を構成した筒体１４、筒体１４の内に空隙を形成して貫通して配置されたワイヤロープからなる張設条体１５、一端が張設条体１５に連結され他端は対向した上記両者の何れかに挿通されたロープシャックル１６、ロープシャックル１６の挿通端にねじ込まれたナット１７及びロープシャックル１６の挿通端に嵌合されて上記両者の何れかとナット１７との間に配置された圧縮コイルばね１８によって構成される。
【００１３】
そして、合成樹脂板等の低摩擦材製の摺動板１９がかご枠８の下枠６及び床取付金具１１の間に介装される。また、斜め控え２０が設けられて上端が側枠７の上端寄りに締結され、下端は床取付金具１１のかご３奥行き方向における先端寄りに締結される。
【００１４】
上記のように構成されたエレベーターかごにおいて、上枠４及び下枠６の両者の間に筒体１４が配置されて、筒体１４の内に空隙を形成して貫通して配置された張設条体１５の両端がそれぞれ対向した上記両者の一つに連結されて張設される。また、かご室１２はかご枠８内に配置されて下部が床取付金具１１に装着されて摺動板１９を介して下枠６に支持される。なお、張設条体１５に作用する張力によって上枠４、下枠６、摺動板１９及び床取付金具１１を介して筒体１４に圧縮方向の荷重が作用した状態で筒体１４が上記両者間に保持される。
【００１５】
そして、図１に示すようにかご３はかご枠８が直方形に配置され、通常時において張設条体１５は筒体１４内の中心位置に内面に触れることなく配置される。また、固定建築体とこの上に配置された免震建築体との間に免震装置が設けられた建物において、地震時等に免震装置の配置箇所において案内レール２が弾性変形して傾斜する。この場合に、傾斜した案内レール２によってかご３の下部の案内具１０がかご３の間口方向に押圧されたときには、下枠６が摺動板１９の摺動作用を介して床取付金具１１に対して変位する。
【００１６】
これによって、張設条体１５は下端側が筒体１４内の床取付金具１１寄りに移動して図２に示す状態となる。このように、案内レール２の傾斜箇所に配置されたかご３において、下枠６が変位するので、かご枠８に余計な負荷が作用することがなく案内具１０に異常が発生したり、案内レール２の傾斜箇所においてかご３の昇降動作が妨げられたりする不具合を未然に防止することができる。
【００１７】
なお、両側の案内レール２を結ぶ線に直交する方向、すなわちかご３の奥行き方向への案内レール２の傾斜に対しては、傾斜した案内レール２に案内具１０が押圧されることによって下枠６が摺動板１９の摺動作用を介して床取付金具１１に対してかご３の奥行き方向へ変位する。そして、張設条体１５は筒体１４内においてかご３の奥行き方向へ移動して図３に示す状態となる。
【００１８】
また、前述の張設条体１５を適宜な棒材からなるものとし、両端にそれぞれ設けられた雄ねじを介して前述のナット１７、圧縮コイルばね１８によって棒材を上枠４及び下枠６の間に張設する。このように構成されたかご枠８からなるかご３であっても、図１〜図３の実施の形態における作用を得ることができる。
【００１９】
実施の形態２．
また、図１〜図３の実施の形態を応用して次ぎに述べる構成のかご３を容易に得ることができる。すなわち、前述の床取付金具１１を省略してかご室１２を下枠６に装着すると共に、下枠６と筒体１４の下端との間に摺動板１９を介装する。このような構成においても、案内レール２の傾斜箇所において下枠６が筒体１４に対して摺動するので、図１〜図３の実施の形態における作用を得ることができる。
【００２０】
実施の形態３．
また、図１〜図３の実施の形態を応用して次ぎに述べる構成のかご３を容易に得ることができる。すなわち、前述の床取付金具１１を省略して筒体１４の下部をかご室１２の下部に装着すると共に、上枠４と筒体１４の上端との間に摺動板１９を介装する。このような構成においても、案内レール２の傾斜箇所において上枠４が筒体１４に対して摺動するので、図１〜図３の実施の形態における作用を得ることができる。
【００２１】
【発明の効果】
この発明は以上説明したように、エレベーターの案内レールが立設された昇降路に配置され、上枠、下枠及び両側の側枠がロ字状に配置されて上枠を介してエレベーターの主索によって吊持されたかご枠と、このかご枠のロ字における四隅にそれぞれ設けられて案内レールに昇降自在に係合した案内具と、箱状をなしかご枠内に配置されて下部が下枠に支持され、上部はかご枠の側枠に係合具を介して係合されたかご室と、上枠及び下枠の両者の間に配置されてかご枠における側枠の要部を構成した筒体と、この筒体内に空隙を形成して貫通して配置され両端がそれぞれ上記両者に連結されて張設された張設条体と、上記両者の一方及びこの一方に対向した筒体の端面との間に介装された低摩擦材製の摺動板とを設けたものである。
【００２２】
これによって、上枠及び下枠の両者の間に筒体が配置されて、筒体の内に空隙を形成して貫通して配置された張設条体の両端がそれぞれ対向した上記両者の一つに連結されて張設される。また、かごはかご枠内に配置されて下部が下枠又は筒体の下部に装着される。なお、張設条体に作用する張力によって下枠、摺動板及び上枠を介して筒体に圧縮方向の荷重が作用した状態で筒体が上記両者間に保持される。
【００２３】
そして、かごはかご枠が直方形に配置され、通常時において張設条体は筒体内の中心位置に内面に触れることなく配置される。また、固定建築体とこの上に配置された免震建築体との間に免震装置が設けられた建物において、地震時等に免震装置の配置箇所において案内レールが弾性変形して傾斜する。この場合に、傾斜した案内レールによってかごの上部の案内具が押圧されたときには上枠が摺動板の摺動作用を介して筒体に対して変位し、またかごの下部の案内具が押圧されたときには下枠が摺動板の摺動作用を介して筒体に対して変位する。
【００２４】
これによって、張設条体は筒体内において上枠又は下枠の変位方向に移動する。このように、かごが案内レールの傾斜箇所に配置された場合に上枠又は下枠が変位するので、かご枠に余計な負荷が作用することがなく案内具に異常が発生したり、案内レールの傾斜箇所においてかごの昇降動作が妨げられたりする不具合を未然に防止する効果がある。
【図面の簡単な説明】
【図１】この発明の実施の形態１を示す図であり、一部を縦断して示す正面図。
【図２】図１において案内レールが傾斜した状態を示す図。
【図３】図２の側面図。
【符号の説明】
１  昇降路、２  案内レール、４  上枠、６  下枠、７  側枠、８  かご枠、９  主索、１０  案内具、１１  床取付金具、１２  かご室、１３  係合具、１４  筒体、１５  張設条体、１９  摺動板。
【図１】
2004224468.tif 000003
【図２】
2004224468.tif 000004
【図３】
2004224468.tif 000005